(57)【要約】【課題】  携帯端末で視聴したコンテンツの視聴情報を正確に収集することができる視聴情報収集システムを提供することにある。【解決手段】  携帯端末１００を一意に識別する端末識別情報と、この携帯端末１００で視聴されたテレビ番組に関する情報とを携帯端末１００から送信する。そして、送信された端末識別情報に基づいて、携帯端末１００の加入者情報を検索し、携帯端末１００から送信されたテレビ放送に関する情報と検索した加入者情報とから視聴状況情報を生成する。【特許請求の範囲】
【請求項１】
視聴情報収集システムであって、
端末を識別するための端末識別情報が格納されている記憶部と、
コンテンツを受信して視聴する視聴手段と、
視聴したコンテンツに関する視聴状況情報を生成する視聴状況生成手段と、
前記視聴状況情報及び前記端末識別情報を送信する送信手段と
を有する携帯端末と、
前記送信された視聴状況情報及び端末識別情報を受信する受信手段と、
端末の加入者情報と端末を識別する端末識別情報とが関連付けられて記憶された加入者情報データベースと、
前記受信した端末識別情報に対応する端末識別情報を、前記加入者情報データベースの中から検索し、この端末識別情報に関連付けられた加入者情報の内、予め定められた情報のみを読み出し、この読み出した情報と前記受信した視聴状況情報とを関連付けて視聴分析情報を作成する作成手段と
を有する視聴情報収集サーバと
を有することを特徴とする視聴情報収集システム。
【請求項２】
前記視聴状況情報は、視聴したコンテンツを識別するコンテンツ識別情報から構成されることを特徴とする請求項１に記載の視聴情報収集システム。
【請求項３】
前記視聴状況情報は、視聴したコンテンツを識別するコンテンツ識別情報と、そのコンテンツの視聴時刻とから構成されることを特徴とする請求項１に記載の視聴情報収集システム。
【請求項４】
前記コンテンツは、テレビ番組であることを特徴とする請求項１から請求項３のいずれかに記載の視聴情報収集システム。
【請求項５】
前記送信手段は、前記視聴状況情報生成手段が視聴状況情報を生成する度に、視聴状況情報と端末識別情報とを送信する手段であることを特徴とする請求項１から請求項４のいずれかに記載の視聴情報収集システム。
【請求項６】
前記作成手段は、前記受信した視聴状況情報の中に視聴時刻が含まれているかを判別し、視聴時刻が含まれていないと判別した場合、前記視聴状況情報を受信した時刻の時刻情報を取り込み、この時刻情報と、前記加入者情報の内、予め定められた情報と、前記受信した視聴状況情報とを関連付けて視聴分析情報を作成する手段であることを特徴とする請求項５に記載の視聴情報収集システム。
【請求項７】
前記送信手段は、前記生成した視聴状況情報を、所定量、記憶して所定量毎に送信する手段であることを特徴とする請求項１から請求項４のいずれかに記載の視聴情報収集システム。
【請求項８】
前記送信手段は、視聴状況情報の送信要求信号に応答して、前記生成した視聴状況情報を送信する手段であることを特徴とする請求項１から請求項４のいずれかに記載の視聴状況情報収集システム。
【請求項９】
前記送信手段は、予め定められた時刻に、前記生成した視聴状況情報を送信する手段であることを特徴とする請求項１から請求項４のいずれかに記載の視聴情報収集システム。
【請求項１０】
前記作成手段は、前記端末でコンテンツを視聴した位置を示す位置情報を生成する位置情報取得手段を更に有することを特徴とする請求項５又は請求項６に記載の視聴情報収集システム。
【請求項１１】
前記位置情報取得手段は、端末が存在する位置の通信を管轄する基地局の情報を取得することによって、前記端末でコンテンツを視聴した位置を示す位置情報を取得する手段であることを特徴とする請求項１０に記載の視聴情報収集システム。
【請求項１２】
前記端末は自機が存在する位置情報を取得する手段を有し、
前記位置情報取得手段は、前記端末で得られた位置情報を取得することによって、前記端末でコンテンツを視聴した位置を示す位置情報を取得する手段であることを特徴とする請求項１０に記載の視聴情報収集システム。
【請求項１３】
前記端末の課金情報が格納されている課金情報データベースと、
前記視聴状況情報に基づいて、前記端末の課金の減額を前記課金情報データベースに反映させる手段と
を更に有することを特徴とする請求項１から請求項１２のいずれかに記載の視聴情報収集システム。
【請求項１４】
前記加入者情報データベースは、前記端末に通信サービスを提供する通信事業者内に設置されていることを特徴とする請求項１から請求項１３のいずれかに記載の視聴情報収集システム。
【請求項１５】
通信事業者内に設置され、端末から送信されて来る、コンテンツの視聴に関する視聴状況情報を収集する視聴情報収集サーバであって、
送信されて来た視聴状況情報及びこの視聴状況情報を送信して来た端末の端末識別情報を受信する受信手段と、
端末の加入者情報及びその端末を識別する端末識別情報が関連付けられて記憶された加入者情報データベースと、
前記受信した端末識別情報に対応する端末識別情報を、前記加入者情報データベースの中から検索し、この端末識別情報に関連付けられた加入者情報の内、予め定められた情報のみを読み出し、この読み出した情報と前記受信したコンテンツ視聴情報とを関連付けて視聴分析情報を作成する作成手段と
を有することを特徴とする視聴情報収集サーバ。
【請求項１６】
前記視聴状況情報は、視聴したコンテンツを識別するコンテンツ識別情報から構成されることを特徴とする請求項１５に記載の視聴情報収集サーバ。
【請求項１７】
前記視聴状況情報は、視聴したコンテンツを識別するコンテンツ識別情報と、そのコンテンツの視聴時刻とから構成されることを特徴とする請求項１５に記載の視聴情報収集サーバ。
【請求項１８】
前記作成手段は、前記受信した視聴状況情報の中に視聴時刻が含まれているかを判別し、視聴時刻が含まれていないと判別した場合、前記視聴状況情報を受信した時刻の時刻情報を取り込み、この時刻情報と、前記加入者情報の内、予め定められた情報と、前記受信した視聴状況情報とを関連付けて視聴分析情報を作成する手段であることを特徴とする請求項１５から請求項１７のいずれかに記載の視聴情報収集サーバ。
【請求項１９】
前記コンテンツは、テレビ番組であることを特徴とする請求項１５から請求項１８のいずれかに記載の視聴情報収集サーバ。
【請求項２０】
前記作成手段は、前記端末でコンテンツを視聴した位置を示す位置情報を取得する位置情報取得手段を更に有することを特徴とする請求項１５から請求項１９のいずれかに記載の視聴情報収集サーバ。
【請求項２１】
前記位置情報取得手段は、端末が存在する位置の通信を管轄する基地局の情報を取得することによって、前記端末でコンテンツを視聴した位置を示す位置情報を取得する手段であることを特徴とする請求項２０に記載の視聴情報収集サーバ。
【請求項２２】
前記位置情報取得手段は、前記端末で得られた位置情報を取得することによって、前記端末でコンテンツを視聴した位置を示す位置情報を取得する手段であることを特徴とする請求項２０に記載の視聴情報収集サーバ。
【請求項２３】
前記端末の課金情報が格納されている課金情報データベースと、
前記視聴状況情報に基づいて、前記端末の課金の減額を前記課金情報データベースに反映させる手段と
を更に有することを特徴とする請求項１５から請求項２２のいずれかに記載の視聴情報収集サーバ。
【請求項２４】
コンテンツの視聴に関する情報を送信する端末であって、
端末を識別するための端末識別情報が格納されている記憶部と、
コンテンツを受信して視聴する視聴手段と、
視聴したコンテンツに関する視聴状況情報を生成する視聴状況生成手段と、
前記視聴状況情報及び前記端末識別情報を送信する送信手段と
を有することを特徴とする端末。
【請求項２５】
前記視聴状況情報は、視聴したコンテンツを識別するコンテンツ識別情報と、そのコンテンツの視聴時刻とであることを特徴とする請求項２４に記載の端末。
【請求項２６】
前記視聴状況情報は、視聴したコンテンツを識別するコンテンツ識別情報であることを特徴とする請求項２４に記載の端末。
【請求項２７】
前記コンテンツは、テレビ番組であることを特徴とする請求項２４から請求項２６のいずれかに記載の端末。
【請求項２８】
前記送信手段は、視聴状況情報を生成する度に、視聴状況情報と端末識別情報とを送信する手段であることを特徴とする請求項２４から請求項２７のいずれかに記載の端末。
【請求項２９】
前記送信手段は、前記生成した視聴状況情報を、所定量、記憶して所定量毎に送信する手段であることを特徴とする請求項２４から請求項２７のいずれかに記載の端末。
【請求項３０】
前記送信手段は、視聴状況情報の送信要求信号に応答して、生成した視聴状況情報を送信する手段であることを特徴とする請求項２４から請求項２７のいずれかに記載の端末。
【請求項３１】
前記送信手段は、予め定められた時刻に、生成した視聴状況情報を送信する手段であることを特徴とする請求項２４から請求項２７のいずれかに記載の端末。
【請求項３２】
前記端末は自機が存在する位置情報を取得する取得手段を更に有し、
前記送信手段は、前記取得した位置情報を送信する手段であることを特徴とする請求項２４から請求項２８のいずれかに記載の端末。
【発明の詳細な説明】
【技術分野】
【０００１】
本発明は視聴情報（視覚情報及び／又は聴覚情報）収集システムに関し、特に、携帯端末で視聴されたテレビ番組などのコンテンツの視聴情報を収集するシステムに関する。
【背景技術】
【０００２】
従来のアナログ地上波の視聴率調査の場合、個人宅に固定されているテレビに視聴状況調査用装置を設置し、視聴しているチャンネルの情報及びその視聴時間の情報を収集して調査していた。
【０００３】
しかしながら、従来のアナログ地上波の視聴率調査の場合、個人宅に固定されているテレビ放送を対象に情報を収集しているため、装置が設置されている個人宅の家族の内、実際にそのチャンネルを視聴した視聴者を特定することができず、そのチャンネルを視聴した視聴者の性別、年齢層、職種等の情報まで提供することができなかった。
【０００４】
一方、近年の携帯端末のサービスでは、テレビ放送を携帯端末に送信するサービスが行われようとしており、このようなテレビ放送を視聴できる携帯端末を対象にした視聴情報の収集技術がいくつか提案されている（例えば、特許文献１）。
【特許文献１】特開２００２−２３２６０４  この技術は、地上波デジタル放送を用いて送信される映像広告とメニュー画面とを携帯端末が受信し、携帯端末はメニュー画面から選択された映像広告を視聴後、この映像広告を視聴したことを示す情報を携帯端末の電話番号と共に映像広告サービス者に送信する。そして、映像広告サービス者は、映像広告を視聴した携帯端末の電話番号に基づいて、通信事業者の加入者個人情報から個人情報を得、各通信事業者に携帯端末の電話番号及び個人情報とを送信する。
【発明の開示】
【発明が解決しようとする課題】
【０００５】
しかしながら、上記の特許文献１に開示されている技術では、通信料金の還元対象である映像広告を視聴したことを示す情報が映像広告会社に送信されている。そのため、映像広告会社が管理している視聴履歴は、通信料金の還元を目的として選択、視聴された映像広告のみの視聴履歴であり、視聴率調査に用いられる情報ではなく、視聴率調査に用いられる視聴情報を収集することはできなかった。
【０００６】
更に、上記の特許文献１の技術では、視聴履歴は映像広告者側で管理されており、個人情報は通信事業者側で管理しているため、データを管理するための手間及び管理コストが余計にかかってしまっている。
【０００７】
更に、映像広告者は、携帯端末から視聴結果が送信される度に、通信事業者側で管理している個人情報を転送してもらっているため、視聴履歴のデータを作成するのに余計な手間がかかってしまっている。
【０００８】
又、通信事業者から個人情報が転送される際に、この個人情報が外部に漏洩する可能性がある。
【０００９】
そこで、本発明は、上記の課題に鑑みて発明されたものであって、その解決しようとする第１の課題は、携帯端末で視聴したコンテンツの視聴情報を正確に収集することができる視聴情報収集の技術を提供することにある。
【００１０】
又、本発明の解決しようとする第２の課題は、個人情報及び視聴履歴データを管理するための手間及び管理コストが低減することが出来る視聴情報収集の技術を提供することにある。
【００１１】
更に、本発明の解決しようとする第３の課題は、視聴履歴データの作成にかかる通信の手間及びコストが低減することができる視聴情報収集の技術を提供することにある。
【００１２】
更に、本発明の解決しようとする第４の課題は、個人情報の転送の際に起こる外部漏洩を防ぎ、セキュリティ効果を高めることができる視聴情報収集の技術を提供することにある。
【課題を解決するための手段】
【００１３】
上記課題を解決する第１の発明は、視聴情報収集システムであって、端末を識別するための端末識別情報が格納されている記憶部と、コンテンツを受信して視聴する視聴手段と、視聴したコンテンツに関する視聴状況情報を生成する視聴状況生成手段と、前記視聴状況情報及び前記端末識別情報を送信する送信手段とを有する携帯端末と、前記送信された視聴状況情報及び端末識別情報を受信する受信手段と、端末の加入者情報と端末を識別する端末識別情報とが関連付けられて記憶された加入者情報データベースと、前記受信した端末識別情報に対応する端末識別情報を、前記加入者情報データベースの中から検索し、この端末識別情報に関連付けられた加入者情報の内、予め定められた情報のみを読み出し、この読み出した情報と前記受信した視聴状況情報とを関連付けて視聴分析情報を作成する作成手段とを有する視聴情報収集サーバとを有することを特徴とする。
【００１４】
上記課題を解決する第２の発明は、上記第１の発明において、前記視聴状況情報は、視聴したコンテンツを識別するコンテンツ識別情報から構成されることを特徴とする。
【００１５】
上記課題を解決する第３の発明は、上記第１の発明において、前記視聴状況情報は、視聴したコンテンツを識別するコンテンツ識別情報と、そのコンテンツの視聴時刻とから構成されることを特徴とする。
【００１６】
上記課題を解決する第４の発明は、上記第１の発明から第３の発明のいずれかにおいて、前記コンテンツは、テレビ番組であることを特徴とする。
【００１７】
上記課題を解決する第５の発明は、上記第１の発明から第４の発明のいずれかにおいて、前記送信手段は、前記視聴状況情報生成手段が視聴状況情報を生成する度に、視聴状況情報と端末識別情報とを送信する手段であることを特徴とする。
【００１８】
上記課題を解決する第６の発明は、上記第５の発明において、前記作成手段は、前記受信した視聴状況情報の中に視聴時刻が含まれているかを判別し、視聴時刻が含まれていないと判別した場合、前記視聴状況情報を受信した時刻の時刻情報を取り込み、この時刻情報と、前記加入者情報の内、予め定められた情報と、前記受信した視聴状況情報とを関連付けて視聴分析情報を作成する手段であることを特徴とする。
【００１９】
上記課題を解決する第７の発明は、上記第１から第４の発明のいずれかにおいて、前記送信手段は、前記生成した視聴状況情報を、所定量、記憶して所定量毎に送信する手段であることを特徴とする。
【００２０】
上記課題を解決する第８の発明は、上記第１から第４の発明のいずれかにおいて、前記送信手段は、視聴状況情報の送信要求信号に応答して、前記生成した視聴状況情報を送信する手段であることを特徴とする。
【００２１】
上記課題を解決する第９の発明は、上記第１から第４の発明のいずれかにおいて、前記送信手段は、予め定められた時刻に、前記生成した視聴状況情報を送信する手段であることを特徴とする。
【００２２】
上記課題を解決する第１０の発明は、上記第５又は第６の発明において、前記作成手段は、前記端末でコンテンツを視聴した位置を示す位置情報を取得する位置情報取得手段を更に有することを特徴とする。
【００２３】
上記課題を解決する第１１の発明は、上記第１０の発明において、前記位置情報取得手段は、端末が存在する位置の通信を管轄する基地局の情報を取得することによって、前記端末でコンテンツを視聴した位置を示す位置情報を取得する手段であることを特徴とする。
【００２４】
上記課題を解決する第１２の発明は、上記第１０の発明において、前記端末は自機が存在する位置情報を取得する手段を有し、前記位置情報取得手段は、前記端末で得られた位置情報を取得することによって、前記端末でコンテンツを視聴した位置を示す位置情報を取得する手段であることを特徴とする。
【００２５】
上記課題を解決する第１３の発明は、上記第１から第１２の発明のいずれかにおいて、前記端末の課金情報が格納されている課金情報データベースと、前記視聴状況情報に基づいて、前記端末の課金の減額を前記課金情報データベースに反映させる手段とを更に有することを特徴とする。
【００２６】
上記課題を解決する第１４の発明は、上記第１から第１３の発明のいずれかにおいて、前記加入者情報データベースは、前記端末に通信サービスを提供する通信事業者内に設置されていることを特徴とする。
【００２７】
上記課題を解決する第１５の発明は、通信事業者内に設置され、端末から送信されて来る、コンテンツの視聴に関する視聴状況情報を収集する視聴情報収集サーバであって、送信されて来た視聴状況情報及びこの視聴状況情報を送信して来た端末の端末識別情報を受信する受信手段と、端末の加入者情報及びその端末を識別する端末識別情報が関連付けられて記憶された加入者情報データベースと、前記受信した端末識別情報に対応する端末識別情報を、前記加入者情報データベースの中から検索し、この端末識別情報に関連付けられた加入者情報の内、予め定められた情報のみを読み出し、この読み出した情報と前記受信したコンテンツ視聴情報とを関連付けて視聴分析情報を作成する作成手段とを有することを特徴とする。
【００２８】
上記課題を解決する第１６の発明は、上記第１５の発明において、前記視聴状況情報は、視聴したコンテンツを識別するコンテンツ識別情報から構成されることを特徴とする。
【００２９】
上記課題を解決する第１７の発明は、上記第１５の発明において、前記視聴状況情報は、視聴したコンテンツを識別するコンテンツ識別情報と、そのコンテンツの視聴時刻とから構成されることを特徴とする。
【００３０】
上記課題を解決する第１８の発明は、上記第１５から第１７の発明のいずれかにおいて、前記作成手段は、前記受信した視聴状況情報の中に視聴時刻が含まれているかを判別し、視聴時刻が含まれていないと判別した場合、前記視聴状況情報を受信した時刻の時刻情報を取り込み、この時刻情報と、前記加入者情報の内、予め定められた情報と、前記受信した視聴状況情報とを関連付けて視聴分析情報を作成する手段であることを特徴とする。
【００３１】
上記課題を解決する第１９の発明は、上記第１５から第１８の発明のいずれかにおいて、前記コンテンツは、テレビ番組であることを特徴とする。
【００３２】
上記課題を解決する第２０の発明は、上記第１５から第１９の発明のいずれかにおいて、前記作成手段は、前記端末でコンテンツを視聴した位置を示す位置情報を取得する位置情報取得手段を更に有することを特徴とする。
【００３３】
上記課題を解決する第２１の発明は、上記第２０の発明において、前記位置情報取得手段は、端末が存在する位置の通信を管轄する基地局の情報を取得することによって、前記端末でコンテンツを視聴した位置を示す位置情報を取得する手段であることを特徴とする。
【００３４】
上記課題を解決する第２２の発明は、上記第２０の発明において、前記位置情報取得手段は、前記端末で得られた位置情報を取得することによって、前記端末でコンテンツを視聴した位置を示す位置情報を取得する手段であることを特徴とする。
【００３５】
上記課題を解決する第２３の発明は、上記第１５から第２２の発明のいずれかにおいて、前記端末の課金情報が格納されている課金情報データベースと、前記視聴状況情報に基づいて、前記端末の課金の減額を前記課金情報データベースに反映させる手段とを更に有することを特徴とする。
【００３６】
上記課題を解決する第２４の発明は、コンテンツの視聴に関する情報を送信する端末であって、端末を識別するための端末識別情報が格納されている記憶部と、コンテンツを受信して視聴する視聴手段と、視聴したコンテンツに関する視聴状況情報を生成する視聴状況生成手段と、前記視聴状況情報及び前記端末識別情報を送信する送信手段とを有することを特徴とする。
【００３７】
上記課題を解決する第２５の発明は、上記第２４の発明において、前記視聴状況情報は、視聴したコンテンツを識別するコンテンツ識別情報と、そのコンテンツの視聴時刻とであることを特徴とする。
【００３８】
上記課題を解決する第２６の発明は、上記第２４の発明において、前記視聴状況情報は、視聴したコンテンツを識別するコンテンツ識別情報であることを特徴とする。
【００３９】
上記課題を解決する第２７の発明は、上記第２４から第２６の発明のいずれかにおいて、前記コンテンツは、テレビ番組であることを特徴とする。
【００４０】
上記課題を解決する第２８の発明は、上記第２４から第２７の発明のいずれかにおいて、前記送信手段は、視聴状況情報を生成する度に、視聴状況情報と端末識別情報とを送信する手段であることを特徴とする。
【００４１】
上記課題を解決する第２９の発明は、上記第２４から第２７の発明のいずれかにおいて、前記送信手段は、前記生成した視聴状況情報を、所定量、記憶して所定量毎に送信する手段であることを特徴とする。
【００４２】
上記課題を解決する第３０の発明は、上記第２４から第２７の発明のいずれかにおいて、前記送信手段は、視聴状況情報の送信要求信号に応答して、生成した視聴状況情報を送信する手段であることを特徴とする。
【００４３】
上記課題を解決する第３１の発明は、上記第２４から第２７の発明のいずれかにおいて、前記送信手段は、予め定められた時刻に、生成した視聴状況情報を送信する手段であることを特徴とする。
【００４４】
上記課題を解決する第３２の発明は、上記第２４から第２８の発明のいずれかにおいて、前記端末は自機が存在する位置情報を取得する取得手段を更に有し、前記送信手段は、前記取得した位置情報を送信する手段であることを特徴とする。
【発明の効果】
【００４５】
本発明によると、携帯端末で視聴したコンテンツの視聴情報を、携帯端末のメモリに保持させているので、視聴情報を正確に収集することができる。
【００４６】
又、本発明によると、通信事業者内に個人情報及び視聴履歴データを設けているので、個人情報及び視聴履歴データを管理するための手間及び管理コストが低減することができる。
【００４７】
更に、本発明によると、個人情報及び視聴履歴データを同一事業者内に設けているので、視聴履歴データの作成にかかる通信の手間及びコストが低減することができる。
【００４８】
更に、本発明によると、個人情報及び視聴履歴データを同一事業者内に設け、個人情報を外部に転送するような構成ではないので、個人情報の外部漏洩を防ぎ、セキュリティ効果を高めることができる。
【発明を実施するための最良の形態】
【００４９】
本発明は、携帯端末を一意に識別する端末識別情報と、この携帯端末で視聴したテレビ放送に関する情報とを携帯端末から送信する。そして、送信された端末識別情報に基づいて、携帯端末の加入者情報を検索し、携帯端末から送信されたテレビ放送に関する情報と検索した加入者情報とから視聴情報を生成する。更に、携帯端末がテレビ放送を視聴した位置も提供する。
【実施例１】
【００５０】
本発明における実施例１について説明する。
【００５１】
図１は、本発明の視聴情報収集システムの概念図である。
視聴情報収集システムは、携帯端末１００と通信事業者２００と放送事業者３００とから構成されており、通信事業者２００は携帯端末１００に対して移動通信サービスを提供し、放送事業者３００は携帯端末１００に対してテレビ放送を提供するものである。
【００５２】
図２は、実施例１における視聴情報収集システムの構成図である。
まず、携帯端末１００について説明する。
【００５３】
無線通信部１１０は、アンテナ１０１を介して通信事業者２００と通常の双方向通信する。例えば、無線通信の回線制御処理を行う際には、位置登録信号を通信事業者２００の無線通信基地局に送信する。
【００５４】
放送受信部１２０は、アンテナ１０２を介してテレビ放送を受信する。
制御部１３０は、テレビ放送受信のアプリケーションの起動後、操作部１３３によりチャンネルが選択（変更）されると、チャンネルが選択されたことを認識し、現在の時刻情報を視聴開始時刻として取り込み、視聴しているチャンネルのチャンネル識別情報と関連付けて視聴状況情報を生成してメモリ部１３５に格納する。更に、テレビ放送受信が終了させられると、テレビ放送受信の終了を認識して現在の時刻情報をテレビ放送受信の終了時刻として取り込み、視聴が終了したことを示す識別情報と関連付けて視聴状況情報を生成してメモリ部１３５に格納する。又、制御部１３０は、視聴状況情報を生成する度に、視聴状況情報と端末識別情報とを無線通信部１１０を介して送信する。尚、本実施例では視聴が終了したことを示す識別情報を“９９９”とするが、これに限るものではない。
【００５５】
音声入出力部１３１は、無線通信部１１０がアンテナ１０１を介して受信した通信信号の送受話音声入出力処理を行う。又、放送受信部１２０がアンテナ１０２を介して受信したテレビ放送の音声再生処理を行う。
【００５６】
画像表示部１３２は、無線通信部１１０がアンテナ１０１を介して受信した通信信号を操作画面として画面上に表示させる。又、画像表示部１３２は、放送受信部１２０がアンテナ１０２を介して受信した放送の画像を画面に表示させる。
【００５７】
操作部１３３は、マンマシンインタフェースにより携帯端末１００の制御入出力を行うために使用するものであり、例えばボタンである。携帯端末加入者は操作部１３３を使用して、テレビ放送受信のアプリケーションの起動・終了をさせたり、チャンネルを選択したりする。
【００５８】
時計１３４は、制御部１３０に対して時刻情報を提供する。
【００５９】
メモリ部１３５には、携帯端末を一意に識別する端末識別情報が格納される。更に、制御部１３０が生成した視聴状況情報を格納する。この視聴状況情報は、図３に示すように、チャンネル識別情報と視聴時刻とから１レコードが構成される。チャンネル識別情報には、携帯端末で視聴したチャンネルを識別する識別情報、又はテレビ放送受信が終了したことを示す識別情報が格納される。視聴時刻には、そのチャンネルの視聴が開始された時刻、又はテレビ放送受信が終了させられた時刻が格納される。尚、本実施例では、端末識別情報と視聴状況情報とを同一メモリに格納しているが、端末識別情報と視聴状況情報とを、それぞれ別々のメモリに格納しても良い。
【００６０】
次に、通信事業者２００の構成について説明する。
【００６１】
無線通信基地局２１１は、複数の無線通信基地局からなり、各無線通信基地局には無線通信基地局を一意に識別する識別情報が付されている。又、無線通信基地局２１１は、通信アンテナ２０１を経由して携帯端末１００との通信処理を行う。
【００６２】
通信交換局２２１は、各携帯端末間あるいは固定網を経由した他の通信事業者に属する装置との回線交換又はパケット交換処理を行う。
【００６３】
上記した通信アンテナ２０１、無線通信基地局２１１、及び通信交換局２２１は、既存の移動体通信網である。
【００６４】
サーバ２３０は、サービス制御局２４０、加入者情報データベース２４１、位置情報データベース２４２、視聴率分析部２４３、通信部２４４、及びメモリ部２４５を有する。
【００６５】
サービス制御局２４０は、通信サービス全体を統括制御するものである。例えば、無線通信の回線制御処理が行われた際には、位置登録信号を送信した携帯端末の端末識別情報に対応する端末識別情報を位置情報データベース２４２から検索し、検索された端末識別情報と、携帯端末１００から送信される位置登録信号を受信した無線通信基地局２１１の識別情報とを対応付けて、後述する位置情報データベース２４２に格納する。
【００６６】
加入者情報データベース２４１は、図４に示すように、携帯端末１００の加入者に関する情報を管理するものであり、ＨＬＲ（ホーム・ロケーション・レジスタ）である。この加入者情報は、端末識別情報、氏名、住所、年齢、性別、職業等から構成される。
【００６７】
端末識別情報は、携帯端末を一意に識別し、検索のキーコードとなる識別情報であり、メモリ部１３５に格納されている端末識別情報と同一である。尚、本実施例１では、メモリ部１３５に格納されている端末識別情報と同一であるとして説明するが、必ずしも同一である必要はない。例えば、メモリ部１３５に格納されている端末識別情報が携帯端末を一意に識別する固有情報とし、加入者情報データベース２４１に記載される端末識別情報を電話番号として、携帯端末１００とサーバ３０との間に、固有情報を電話番号に置き換える手段を設けることにより、加入者情報と視聴状況情報とを関連付けるように構成させてもよい。
【００６８】
住所、年齢、性別、職業は、携帯端末１００の通信サービスに加入した際に登録される情報である。尚、本実施例における加入者情報データベース２４１は、端末識別情報、氏名、住所、年齢、性別、職業から１レコードを構成するが、これに限るものではない。また、加入者情報データベース２４１は、例えば加入者の誕生日が来る度に年齢を１プラスするなど、加入者の最新情報が反映されるように更新される。
【００６９】
位置情報データベース２４２は、携帯端末１００が存在する位置を表す位置情報を管理するものであり、ＶＬＲ（ビジター・ロケーション・レジスタ）である。この位置情報は、図５に示すように、端末識別情報と位置情報とから１レコードが構成されており、互いに対応付けられている。端末識別情報は、携帯端末１００に付与されている端末識別情報である。位置情報は、通常のセルラーシステムで行われている無線通信の回線制御処理の中で携帯端末１００が送信する位置登録信号を受信した無線通信基地局２１１の識別情報である。又、この位置情報は、携帯端末１００の移動に応じて、その最新情報が更新される。
【００７０】
視聴率分析部２４３は、サービス制御局２４０が受信した端末識別情報に基づいて、その端末識別情報に対応する端末識別情報を加入者情報データベース２４１の中から検索する。更に、検索した端末識別情報に対応付けられて記憶されている加入者情報の中から、住所の一部（都道府県や市町村名等）である居住地域、年齢、性別、及び職業等、予め設定されている情報のみを読み出し、受信した視聴状況情報と関連付けてリアルタイム視聴分析情報を作成してメモリ部２４５に記憶させる。又、リアルタイム視聴分析情報に基づいて、統計的視聴分析情報を作成する。この統計的視聴分析情報は、例えば、年齢別、職業別、又は居住地域別の視聴率等である。
【００７１】
通信部２４４は、固定網４００を経由して放送事業者３００との通信処理を行うものであり、リアルタイム視聴分析情報又は統計的視聴分析情報を送信する。
【００７２】
メモリ部２４５は、視聴率分析部２４３が作成したリアルタイム視聴分析情報及び統計的視聴分析情報が格納される。
【００７３】
次に放送事業者３００について説明する。
【００７４】
放送制御部３２１は、テレビ放送全体を制御する。
【００７５】
放送番組コンテンツ部３２２は、放送番組のコンテンツ情報を保持する。
【００７６】
放送広告３２３は、放送広告のコンテンツ情報を保持する。
【００７７】
通信部３２４は、固定通信網４００を介して送信されるリアルタイム視聴分析情報、及び統計的視聴分析情報を受信する。
【００７８】
広告制御部３２５は、放送広告の放送タイミングを計り、放送制御部に対し放送番組への広告挿入あるいは重畳を指示する。
【００７９】
放送制御部３２１は、時刻を測りながら放送番組コンテンツ、放送広告コンテンツを選択し、放送送出部３１１へ転送し、アンテナ３０１を経由して携帯端末１００に対するテレビ放送を行う。更に、放送制御部３２１は通信部３２４を経由して、通信事業者２００との間で、テレビ放送での視聴率分析サービスを依頼し、視聴率分析の仕様を取り決める。
【００８０】
次に、本実施例における視聴情報収集システムの動作について説明する。まず、携帯端末１００で行われる、視聴状況情報の送信の動作について説明する。
【００８１】
図６は、視聴情報収集システムにおける携帯端末１００で行われる動作のフローチャートである。
【００８２】
テレビ放送受信のアプリケーションが起動されると、制御部１３０は時計１３４から現在の時刻情報を視聴開始時刻として取り込む（ステップＳ１０１）。
【００８３】
制御部１３０は、視聴開始時刻を取り込むと、視聴しているチャンネル識別情報と視聴開始時刻とから視聴状況情報を生成してメモリ部１３５に格納する（ステップＳ１０２）。
【００８４】
生成された視聴状況情報は、端末識別情報と共に無線通信部１１０を介して通信事業者２００に送信される（ステップＳ１０３）。
【００８５】
次に、制御部１３０は、チャンネルが変更されたかを認識する（ステップＳ１０４）。ここで、チャンネルの変更が認識された場合、ステップＳ１０１に戻る。
【００８６】
一方、チャンネルの変更が認識されない場合、制御部１３０はテレビ放送受信が終了させられたかを認識する（ステップＳ１０５）。ここで、テレビ放送受信の終了が認識されない場合、ステップＳ１０４に戻る。
【００８７】
一方、テレビ放送受信の終了が認識された場合、時計１３４から現在の時刻情報を視聴終了時刻として取り込む（ステップＳ１０６）。視聴終了時刻を取り込むと、視聴終了を示す識別情報と視聴終了時刻とから視聴状況情報を生成してメモリ部１３５に格納する（ステップＳ１０７）。生成された視聴状況情報は、端末識別情報と共に無線通信部１１０を介して通信事業者２００に送信される（ステップＳ１０８）。
以上のように、視聴状況情報の送信の処理が行われる。
【００８８】
続いて、通信事業者２００で行われる動作である、視聴分析情報を生成する動作について説明する。図７は、通信事業者２００で行われる、視聴分析情報を生成する動作を説明するためのフローチャートである。
【００８９】
携帯端末１００から視聴状況情報と端末識別情報とが送信されると、視聴状況情報と端末識別情報とは移動体通信網を介してサービス制御局２４０に受信される（ステップＳ１１０）。
【００９０】
サービス制御局２４０が視聴状況情報と端末識別情報とを受信すると、視聴率分析部２４３は、加入者情報データベース２４１の中から、受信した端末識別情報に対応する端末識別情報を検索する（ステップＳ１１１）。
【００９１】
加入者情報データベース２４１の中から端末識別情報を検索すると、この端末識別情報に対応付けられて記憶されている、携帯端末加入者の居住地域、年齢、性別、及び職業を読み出す（ステップＳ１１２）。
【００９２】
読み出された携帯端末の加入者の居住地域、年齢、性別、及び職業は、受信された視聴状況情報と関連付けられ、リアルタイム視聴分析情報が生成され、メモリ部２４５に格納される（ステップＳ１１３）。
【００９３】
メモリ部２４５に格納されたリアルタイム視聴分析情報は、通信部２４４を介して放送事業者３００に送信される（ステップＳ１１４）。
【００９４】
また、視聴率分析部２４３は、メモリ部２４５にリアルタイム視聴分析情報が累積されると、統計的視聴分析情報を生成してメモリ部２４５に格納される（ステップＳ１１５）。
【００９５】
格納された統計的視聴分析情報は、通信部２４４を介して放送事業者３００に送信される（ステップＳ１１６）。
【００９６】
上述した構成をとると、放送事業者３００はリアルタイム視聴分析に基づいて視聴者層を割り出し、一番多い視聴者層に合わせた広告を放送することが出来る。又、放送事業者３００は、統計的視聴分析情報に基づいて番組を編成することが出来る。
【００９７】
尚、本実施例の加入者情報データベース２４１は、サーバ２３０に配置されているが、通信事業者２００内であれば、これに限るものではない。
【実施例２】
【００９８】
次に、本発明における実施例２について説明する。上述した実施例１では、視聴開始時刻及び視聴終了時刻とを携帯端末１００に設けられている時計１３４から取り込む構成について説明した。しかしながら、携帯端末１００に設けられている時計から時刻情報を読み出した場合、設定されている時刻が携帯端末によってバラつきが出てしまい、視聴分析情報の確度が下がってしまう可能性がある。
【００９９】
本実施例２では、携帯端末１００から送信される視聴状況情報に視聴時刻が入っているかを認識し、入っていない場合にサ−バ２３０に設けられた時計から聴開始時刻及び視聴終了時刻とを取り込む構成について説明する。尚、上述した実施例と同様の構成については同一の番号を付し、詳細な説明は省略する。また、上述した実施例１と基本的には同様な構成であるため、実施例１と異なる所を中心に説明する。
【０１００】
図８は、本実施例における視聴情報収集システムの構成図である。
【０１０１】
上述した実施例１と異なる点は、サーバ２３０は上述した実施例１の構成に加えて、時計２４６を有する。
【０１０２】
制御部１３０は、テレビ放送受信のアプリケーションの起動後、操作部１３３によりチャンネルが選択（変更）されると、チャンネルが選択されたことを認識し、視聴しているチャンネルのチャンネル識別情報を視聴状況情報としてメモリ部１３５に格納する。更に、テレビ放送受信が終了させられると、テレビ放送受信の終了を認識して、視聴が終了したことを示す識別情報を視聴状況情報としてメモリ部１３５に格納する。又、制御部１３０は、視聴状況情報を生成する度に、視聴状況情報と端末識別情報とを無線通信部１１０を介して送信する。
視聴率分析部２４３は、実施例１で説明した通り、サービス制御局２４０が受信した端末識別情報に基づいて、その端末識別情報に対応する端末識別情報を加入者情報データベース２４１の中から検索し、検索した端末識別情報に対応付けられて記憶されている加入者情報の中から、予め設定されている情報のみを読み出す。更に、この機能に加えて、視聴状況情報を受信した際に、視聴状況情報の中に視聴時刻が入っているかを認識し、入っていないと認識した場合に時刻情報を時計２４６から読み出す。そして、読み出した加入者情報と、視聴状況情報を受信した時刻と、受信した視聴状況情報とを関連付けてリアルタイム視聴分析情報を作成して記憶させる。
時計２４６は、視聴率分析部２４３に対して時刻情報を提供する。
次に、本実施例における視聴情報収集システムの動作について説明する。まず、携帯端末１００で行われる、視聴状況情報の送信の動作について説明する。
【０１０３】
図９は、視聴情報収集システムにおける携帯端末１００で行われる動作のフローチャートである。
【０１０４】
テレビ放送受信のアプリケーションが起動されると、制御部１３０は視聴しているチャンネル識別情報を視聴状況情報として、メモリ部１３５に格納する（ステップＳ２０１）。
【０１０５】
生成された視聴状況情報は、端末識別情報と共に無線通信部１１０を介して通信事業者２００に送信される（ステップＳ２０２）。
【０１０６】
制御部１３０は、チャンネルが変更されたかを認識する（ステップＳ２０３）。ここで、チャンネルの変更が認識された場合、ステップＳ２０１に戻る。
【０１０７】
一方、チャンネルの変更が認識されない場合、制御部１３０はテレビ放送受信が終了させられたかを認識する（ステップＳ２０４）。ここで、テレビ放送受信の終了が認識されない場合、ステップＳ２０３に戻る。
【０１０８】
一方、テレビ放送受信の終了が認識された場合、視聴終了を示す識別情報を視聴状況情報としてメモリ部１３５に格納する（ステップＳ２０５）。
【０１０９】
生成された視聴状況情報は、端末識別情報と共に無線通信部１１０を介して通信事業者２００に送信される（ステップＳ２０６）。
以上のように、視聴状況情報の送信の処理が行われる。
【０１１０】
続いて、通信事業者２００で行われる動作である、視聴分析情報を生成する動作について説明する。
【０１１１】
図１０は、視聴分析情報を生成する動作を説明するためのフローチャートである。
【０１１２】
携帯端末１００から視聴状況情報と端末識別情報とが送信されると、視聴状況情報と端末識別情報とは移動体通信網を介してサービス制御局２４０に受信される（ステップＳ２１０）。
【０１１３】
サービス制御局２４０が視聴状況情報と端末識別情報とを受信すると、視聴率分析部２４３は、受信した視聴状況情報の中に視聴時刻が入っているかを認識する（ステップＳ２１１）。
【０１１４】
視聴率分析部２４３は、受信した視聴状況情報の中に時刻情報が入っていると認識すると、実施例１のステップＳ１１１からの処理を行う。一方、視聴率分析部２４３は、受信した視聴状況情報の中に時刻情報が入っていないと認識すると、時計２４６から時刻情報を読み出す（ステップＳ２１２）。
【０１１５】
次に視聴率分析部２４３は、加入者情報データベース２４１の中から、受信した端末識別情報に対応する端末識別情報を検索する（ステップＳ２１３）。
【０１１６】
加入者情報データベース２４１の中から端末識別情報を検索すると、この端末識別情報に対応付けられて記憶されている、携帯端末加入者の居住地域、年齢、性別、及び職業を読み出す（ステップＳ２１４）。
【０１１７】
読み出された携帯端末加入者の居住地域、年齢、性別、及び職業は、時刻情報と受信された視聴状況情報と関連付けられ、リアルタイム視聴分析情報が生成され、メモリ部２４５に格納される（ステップＳ２１５）。
【０１１８】
メモリ部２４５に格納されたリアルタイム視聴分析情報は、通信部２４４を介して放送事業者３００に送信される（ステップＳ２１６）。
【０１１９】
また、視聴率分析部２４３は、メモリ部２４５にリアルタイム視聴分析情報が累積されると、統計的視聴分析情報を生成してメモリ部２４５に格納される（ステップＳ２１７）。
【０１２０】
格納された統計的視聴分析情報は、通信部２４４を介して放送事業者３００に送信される（ステップＳ２１８）。
【０１２１】
上述したように、通信事業者側で時刻情報を付加させる構成をとると、視聴した時刻が各携帯端末の時刻のばらつきに左右されないので、視聴分析情報の確度をあげることができる。
【０１２２】
尚、本実施例の加入者情報データベース２４１は、サーバ２３０に配置されているが、通信事業者２００内であれば、これに限るものではない。
【実施例３】
【０１２３】
次に、本発明における実施例３について説明する。上述した実施例１及び２では、携帯端末で視聴したチャンネル識別情報と視聴開始時刻とを関連付けた視聴状況情報を、チャンネルが選択（変更）されるたびに送信するシステムについて説明した。しかしながら、視聴状況情報をチャンネルが選択（変更）されるたびに送信する構成をとると、トラフィックが増加して、有効な通信ができなくなってしまう可能性がある。
【０１２４】
実施例３では、携帯端末で視聴されたチャンネル識別情報と視聴開始時刻とを関連付けた視聴状況情報をメモリ部１３５に格納し、チャンネルが変更された際にも視聴状況情報を追加して格納していき、累積した視聴状況情報がある一定の量を超えると、その累積された視聴状況情報を端末識別情報と共に送信する構成について説明する。尚、上述した実施例１と同様の構成については同一の番号を付し、詳細な説明は省略する。又、上述した実施例１と基本的には同様な構成であるため、実施例１と異なる所を中心に説明する。
【０１２５】
制御部１３０は、実施例１で説明した機能に加えて、生成した視聴状況情報をメモリ部１３５に格納する際に、視聴状況情報がメモリ部１３５に、所定量格納されているかを判断する。所定量、格納されていると判断すると、メモリ部１３５に格納されている全視聴状況情報を端末識別情報と共に無線通信部１１０を介して送信する。
【０１２６】
次に、本実施例における動作の説明をする。
【０１２７】
図１１は、本実施例における動作を説明するためのフローチャートである。
【０１２８】
テレビ放送受信のアプリケーションが起動されると、制御部１３０は時計１３４から現在の時刻情報を視聴開始時刻として取り込む（ステップＳ３０１）。
【０１２９】
制御部１３０は、視聴開始時刻を取り込むと、視聴されているチャンネル識別情報と視聴開始時刻とから視聴状況情報を生成する（ステップＳ３０２）。
【０１３０】
制御部１３０は、メモリ部１３５に生成した視聴状況情報を格納させる際に、視聴状況情報が所定量、累積されているかを判断する（ステップＳ３０３）。
【０１３１】
制御部１３０は、メモリ部１３５に所定の量の視聴状況情報が累積されていないと判断すると、メモリ部１３５に視聴状況情報を記憶させる（ステップＳ３０４）。
【０１３２】
一方、制御部１３０は、メモリ部１３５に所定の量の視聴状況情報が累積されていると判断すると、全視聴状況情報と端末識別情報とを、無線通信部１１０を介して通信事業者２００に送信する（ステップＳ３０５）。送信後、ステップＳ３０４の処理を行う。
【０１３３】
次に、制御部１３０は、チャンネルが変更されたかを認識する（ステップＳ３０６）。ここで、チャンネルの変更が認識された場合、ステップＳ３０１に戻る。
【０１３４】
一方、チャンネルの変更が認識されない場合、制御部１３０はテレビ放送受信が終了させられたかを認識する（ステップＳ３０７）。ここで、テレビ放送受信の終了が認識されない場合、ステップＳ３０５に戻る。
【０１３５】
一方、テレビ放送受信の終了が認識された場合、時計１３４から現在の時刻情報を視聴終了時刻として取り込む（ステップＳ３０８）。視聴終了時刻を取り込むと、視聴終了を示す識別情報と視聴終了時刻とから視聴状況情報を生成する（ステップＳ３０９）。
【０１３６】
制御部１３０は、メモリ部１３５に生成した視聴状況情報を格納させる際に、視聴状況情報が所定量、累積されているかを判断する（ステップＳ３１０）。
【０１３７】
制御部１３０は、メモリ部１３５に所定の量の視聴状況情報が累積されていないと判断すると、メモリ部１３５に視聴状況情報を記憶させる（ステップＳ３１１）。
【０１３８】
一方、制御部１３０は、メモリ部１３５に所定の量の視聴状況情報が累積されていると判断すると、全視聴状況情報と端末識別情報とを、無線通信部１１０を介して通信事業者２００に送信する（ステップＳ３１２）。送信後、ステップＳ３０４の処理を行う。
【０１３９】
続いて、通信事業者２００で行われる視聴分析情報を生成する動作について説明する。
【０１４０】
図１２は、本実施例における視聴分析情報を生成する動作を説明するためのフローチャートである。
【０１４１】
携帯端末１００から送信された視聴状況情報と端末識別情報とは、移動体通信網を介してサービス制御局２４０に受信される（ステップＳ３５０）。
【０１４２】
サービス制御局２４０が視聴状況情報と端末識別情報とを受信すると、視聴率分析部２４３は、加入者情報データベース２４１の中から、受信した端末識別情報に対応する端末識別情報を検索する（ステップＳ３５１）。
【０１４３】
加入者情報データベース２４１の中から端末識別情報を検索すると、この端末識別情報に対応付けられて記憶されている、携帯端末加入者の居住地域、年齢、性別、及び職業を読み出す（ステップＳ３５２）。
【０１４４】
読み出された携帯端末加入者の居住地域、年齢、性別、及び職業は、受信された視聴状況情報と関連付けられ、統計的視聴分析情報が生成され、メモリ部２４５に格納される（ステップＳ３５３）。
【０１４５】
メモリ部２４５に格納された統計的視聴分析情報は、通信部２４４を介して放送事業者３００に送信される（ステップ３５４）。
【０１４６】
上述した構成をとると、視聴状況情報をまとめて送信しているので、有効な通信に影響を及ぼすこと無く、視聴状況情報を送信することが出来る。
【実施例４】
【０１４７】
次に本発明における実施例４について説明する。
【０１４８】
上述した実施例３では、メモリ部１３５に格納された視聴状況情報がある一定の量を超えると、端末識別情報とメモリ部１３５に格納された全視聴状況情報を送信する構成について説明した。
【０１４９】
本実施例では、携帯端末１００が視聴状況情報の送出指示の信号を受信すると、端末識別情報とメモリ部１３５に格納された全視聴状況情報と端末識別情報とを送信する構成について説明する。尚、上述した実施例３と同様の構成については同一の番号を付し、詳細な説明は省略する。
【０１５０】
図１３は、本実施例における視聴情報収集システムの構成図である。
【０１５１】
上述した実施例３と基本的には同様な構成であるため、上述した実施例３と異なる所を中心に説明する。
【０１５２】
上述した実施例３と異なる点は、携帯端末１００は、上述した実施例３の構成に加えて、携帯端末１００が判別部１３６を有する。
【０１５３】
判別部１３６は、無線通信部１１０が受信した信号の中に、視聴状況情報の送信を示す情報送信信号があるかを判別する。更に判別部１３６は、情報送信信号があると判別すると、視聴状況情報と端末識別情報との送信を制御部１３０に要求する。
【０１５４】
次に、本実施例における動作の説明をする。尚、通信事業者２００で行われる動作は実施例３と同一のため、省略する。
【０１５５】
図１４は、本実施例における携帯端末１００で行われる動作を説明するためのフローチャートである。
【０１５６】
テレビ放送受信のアプリケーションが起動されると、制御部１３０は時計１３４から現在の時刻情報を視聴開始時刻として取り込む（ステップＳ４０１）。
【０１５７】
制御部１３０は、視聴開始時刻を取り込むと、携帯端末で視聴されているチャンネル識別情報と視聴開始時刻とからなる視聴状況情報を生成し、メモリ部１３５に記憶させる（ステップＳ４０２）。
【０１５８】
次に、制御部１３０は、チャンネルが変更されたかを認識する（ステップＳ４０３）。ここで、チャンネルの変更が認識された場合、ステップＳ４０１に戻る。
【０１５９】
一方、チャンネルの変更が認識されない場合、制御部１３０はテレビ放送受信が終了させられたかを認識する（ステップＳ４０４）。ここで、テレビ放送受信の終了が認識されない場合、ステップＳ４０３に戻る。
テレビ放送受信の終了が認識された場合、時計１３４から現在の時刻情報を視聴終了時刻として取り込む（ステップＳ４０５）。視聴終了時刻を取り込むと、視聴終了を示す識別情報と視聴終了時刻とから視聴状況情報を生成してメモリ部１３５に格納する（ステップＳ４０６）。
【０１６０】
判別部１３６は、無線通信部１１０が受信した信号の中に、視聴状況情報の送信を示す情報送信信号があるかを判別する（ステップＳ４０７）。
【０１６１】
判別部１３６が、無線通信部１１０が受信した信号の中に情報送信信号がないと判別すると、ステップＳ４０３に戻る。  判別部１３６が、無線通信部１１０が受信した信号の中に情報送信信号があると判別すると、制御部１３０に対して視聴状況情報と端末識別情報との送信を要求する（ステップＳ４０８）。
【０１６２】
制御部１３０は、視聴状況情報と端末識別情報との送信要求を受信すると、端末識別情報とメモリ部１３５に累積されている視聴状況情報とを、無線通信部１１０を介して通信事業者２００に送信する（ステップＳ４０９）。
【０１６３】
上述した構成をとると、視聴状況情報をまとめて送信しているので、有効な通信に影響を及ぼすこと無く、視聴状況情報を送信することが出来る。
【０１６４】
尚、本実施例では、携帯端末１００が視聴状況情報の情報送信信号を受信すると、メモリ部１３５に格納された全視聴状況情報を送信する構成について記載したが、これに限るものではない。すなわち、実施例３のように、制御部１３０に、メモリ部１３５に格納された視聴状況情報がある一定の量を超えているかを認識させ、視聴状況情報の情報送信信号を受信する前に、メモリ部１３５に格納された視聴状況情報がある一定の量を超えた場合、メモリ部１３５に格納された全視聴状況情報を送信する構成にしても良い。
【実施例５】
【０１６５】
次に本発明における実施例５について説明する。
【０１６６】
上述した実施例４では、携帯端末１００が情報送信信号を受信すると、端末識別情報とメモリ部１３５に格納された全視聴状況情報とを送信する構成について説明した。
【０１６７】
本実施例では、携帯端末１００が視聴状況情報と端末識別情報とを送信する時刻を指定する情報を含んだ情報送信信号を受信し、送信指定時刻に端末識別情報とメモリ部１３５に格納された全視聴状況情報とを送信する構成について説明する。尚、上述した実施例と同様の構成については同一の番号を付し、詳細な説明は省略する。
【０１６８】
図１５は、本実施例における視聴情報収集システムの構成図である。
【０１６９】
上述した実施例４と基本的には同様な構成であるため、上述した実施例３と異なる所を中心に説明する。
【０１７０】
上述した実施例４と異なる点は、携帯端末１００は、上述した実施例３の構成に加えて、指定時刻認識部１３７を有する。
【０１７１】
指定時刻認識部１３７は、判別部１３６が情報送信信号を受信したと認識すると、受信した情報送信信号の中から、視聴状況情報と端末識別情報とを送信する時刻を指定する送信時刻指定情報を取り出して記憶する。更に、送信指定時刻になると制御部１３０に、視聴状況情報と端末識別情報との送信を要求する。
【０１７２】
次に、本実施例における動作の説明をする。尚、通信事業者２００で行われる動作は実施例３及び４と同一のため、省略する。
【０１７３】
図１６は、本実施例における視聴状況情報を生成する動作を説明するためのフローチャートである。
【０１７４】
テレビ放送受信のアプリケーションが起動されると、制御部１３０は時計１３４から現在の時刻情報を視聴開始時刻として取り込む（ステップＳ５０１）。
【０１７５】
制御部１３０は、視聴開始時刻を取り込むと、携帯端末で視聴されているチャンネル識別情報と視聴開始時刻とからなる視聴状況情報を生成し、メモリ部１３５に記憶させる（ステップＳ５０２）。
【０１７６】
次に、制御部１３０は、チャンネルが変更されたかを認識する（ステップＳ５０３）。ここで、チャンネルの変更が認識された場合、ステップＳ５０１に戻る。
【０１７７】
一方、チャンネルの変更が認識されない場合、制御部１３０はテレビ放送受信が終了させられたかを認識する（ステップＳ５０４）。ここで、テレビ放送受信の終了が認識されない場合、ステップＳ５０３に戻る。
【０１７８】
テレビ放送受信の終了が認識された場合、時計１３４から現在の時刻情報を視聴終了時刻として取り込む（ステップＳ５０５）。視聴終了時刻を取り込むと、視聴終了を示す識別情報と視聴終了時刻とから視聴状況情報を生成してメモリ部１３５に格納する（ステップＳ５０６）。
【０１７９】
判別部１３６は、無線通信部１１０が受信した信号の中に、視聴状況情報と端末識別情報との送信を示す情報送信信号があるかを判別する（ステップＳ５０７）。
【０１８０】
判別部１３６が、無線通信部１１０が受信した信号の中に情報送信信号がないと判別すると、ステップＳ５０３に戻る。
【０１８１】
判別部１３６が、無線通信部１１０が受信した信号の中に情報送信信号があると判別すると、指定時刻認識部１３７は、受信した情報送信信号の中から、視聴状況情報と端末識別情報とを送信する時刻を指定する送信時刻指定情報を取り出して記憶する（ステップＳ５０８）。
【０１８２】
そして、指定時刻認識部１３７は、送信指定時刻になると制御部１３０に、視聴状況情報の送信を要求する（ステップＳ５０９）。
【０１８３】
制御部１３０は、視聴状況情報の送信要求を受信すると、端末識別情報とメモリ部１３５に累積されている視聴状況情報とを、無線通信部１１０を介して通信事業者２００に送信する（ステップＳ５１０）。
【０１８４】
上述した構成をとると、視聴状況情報をまとめて送信しているので、有効な通信に影響を及ぼすこと無く、視聴状況情報を送信することが出来る。
【０１８５】
尚、本実施例では、送信指定時刻に、視聴状況情報を送信する構成について記載したが、これに限るものではない。すなわち、実施例３のように、制御部１３０に、メモリ部１３５に格納された視聴状況情報がある一定の量を超えているかを認識させ、送信指定時刻前に、メモリ部１３５に格納された視聴状況情報がある一定の量を超えた場合にも送信する構成にしても良い。
【実施例６】
【０１８６】
次に本発明における実施例６について説明する。
【０１８７】
上述した実施例１におけるリアルタイム視聴分析情報又は統計的視聴分析情報の居住地域は、携帯端末１００の通信サービスに加入した際に登録される情報であり、携帯端末１００がテレビ放送を視聴している場所に関する情報は提供していなかった。
【０１８８】
本実施例では、携帯端末１００がテレビ放送を視聴している場所に関する情報も含んだリアルタイム視聴分析情報を提供するシステムについて説明する。尚、上述した実施例１と同様の構成については同一の番号を付し、詳細な説明は省略する。
【０１８９】
上述した実施例１と基本的には同様な構成であるため、構成図は図１を用い、上述した実施例１と異なる所を中心に説明する。
【０１９０】
視聴率分析部２４３は、実施例１で記載した機能に加え、受信した端末識別情報に基づいて、その端末識別情報に対応する位置情報を位置情報データベース２４２から検索する。更に、検索した位置情報と、加入者情報の中から読み出した情報と、受信した視聴状況情報と関連付けてリアルタイム視聴分析情報を作成して記憶させる。又、リアルタイム視聴分析情報に基づいて、統計的視聴分析情報を作成する。
【０１９１】
次に、本実施例における動作の説明をする。尚、携帯端末１００で行われる、視聴状況情報を生成して送信する動作は実施例１と同一のため、省略する。
【０１９２】
まず、携帯端末１００が位置情報データベースに自己の位置を登録（更新）する処理を説明する。
【０１９３】
図１７は、本実施例における位置登録の動作を説明するためのフローチャートである。
【０１９４】
携帯端末１００は、位置登録を行うために位置登録信号を端末識別情報と共に無線通信基地局２１１に送信する（ステップＳ６０１）。サービス制御局２４０は、無線通信基地局２１１が受信した端末識別情報に基づいて、対応する端末識別情報を検索する（ステップＳ６０２）。端末識別情報を検索すると、位置登録信号を受信した無線通信基地局２１１の識別情報を検索した端末識別情報に対応付けて記憶させる（ステップＳ６０３）。
【０１９５】
続いて、通信事業者２００で行われるリアルタイム視聴分析情報を生成する動作について説明する。
図１８は、本実施例におけるリアルタイム視聴分析情報を生成する動作を説明するためのフローチャートである。
【０１９６】
サービス制御局２４０が視聴状況情報と端末識別情報とを受信すると、視聴率分析部２４３は、加入者情報データベース２４１の中から、受信した端末識別情報に対応する端末識別情報を検索する（ステップＳ６１０）。
【０１９７】
加入者情報データベース２４１の中から端末識別情報を検索すると、この端末識別情報に対応付けられて記憶されている、携帯端末加入者の居住地域、年齢、性別、及び職業を読み出す（ステップＳ６１１）。
【０１９８】
又、視聴率分析部２４３は、受信した端末識別情報に対応する端末識別情報を、位置情報データベース２４２から検索する（ステップＳ６１２）。
【０１９９】
位置情報データベース２４２の中から端末識別情報を検索すると、この端末識別情報に対応付けられて記憶されている位置情報を検索する（ステップＳ６１３）。
【０２００】
読み出された携帯端末加入者の居住地域、年齢、性別、及び職業と、検索された位置情報と、受信された視聴状況情報とを関連付けて、リアルタイム視聴分析情報を生成し、メモリ部２４５に格納する（ステップＳ６１４）。
【０２０１】
メモリ部２４５に格納されたリアルタイム視聴分析情報は、通信部２４４を介して放送事業者３００に送信される（ステップＳ６１５）。
【０２０２】
上述した本実施例では、セルラーシステムで携帯電話の位置を検出して位置情報が作成される構成について説明したが、変形例としてＧＰＳ（グローバル・ポジショニング・システム）を利用して位置情報が作成される構成も考えられる。この場合、携帯端末１００は上述した構成に加えたＧＰＳ衛星からの電波を受信して自己の現在位置を求めるＧＰＳ情報取得部を有する。制御部１３０は、このＧＰＳ情報取得部が求めた位置情報を視聴状況情報と端末識別情報と共に送信する。サービス制御局２４０は、視聴状況情報と端末識別情報と共にＧＰＳ情報取得部が求めた位置情報を受信すると、受信した端末識別情報に基づいて、対応する端末識別情報を検索して受信した位置情報と対応付けて格納する。
【０２０３】
このようにＧＰＳを利用した構成にした場合、位置情報の確度を上げることができる。
【０２０４】
上述した構成をとると、視聴状況情報に位置情報も含まれているため、キー局のテレビ番組が視聴されているか、地方局のテレビ番組が視聴されているかがわかり、視聴分析情報の確度をあげることが出来る。
【０２０５】
尚、本実施例では、実施例１に追加した構成として説明したが、これに限るものではない。すなわち実施例２に追加した構成であってもよい。
【０２０６】
又、本実施例では、端末識別情報をキーコードとして、位置情報データベースの位置情報と、加入者情報データベースの加入者情報とを関連付ける構成としたが、これに限るものではない。すなわち、端末識別情報と、位置情報と加入者情報とが互いに対応していれば良く、２つのデータベースを１つに纏めて構成しても良い。
【実施例７】
【０２０７】
次に本発明における実施例７について説明する。
【０２０８】
上述した実施例１〜６では、リアルタイム視聴分析情報又は統計的視聴分析情報を放送事業者３００に提供する構成について説明した。
【０２０９】
本実施例では、ユーザが視聴率分析に協力した場合に、その協力時間（視聴時間）に応じて通話料金の割引を行う場合について説明する。尚、上述した実施例１と同様の構成については同一の番号を付し、詳細な説明は省略する。
【０２１０】
図１９は、本実施例における視聴情報収集システムの構成図である。
【０２１１】
上述した実施例１と基本的には同様な構成であるため、上述した実施例１と異なる所を中心に説明する。
【０２１２】
上述した実施例１と異なる点は、通信事業者２００は、上述した実施例１の構成に加えて、料金データベース２４７、及び課金制御部２４８を有する。又、携帯端末１００の制御部１３０が行う格納処理が相違し、メモリ部１３５に格納される視聴状況情報が相違する。
【０２１３】
制御部１３０は、テレビ放送受信のアプリケーションが起動され、操作部１３３によりチャンネルが選択されると、現在の時刻情報を視聴開始時刻として取り込みチャンネル識別情報と関連付けてメモリ部１３５に格納する。更に、チャンネルの変更の際、又はテレビ放送受信の終了の際に、時刻情報を視聴終了時刻として取り込み、視聴開始時刻と視聴終了時刻とから視聴時間を算出し、メモリ部１３５に格納されているチャンネル識別情報と視聴開始時刻とに関連付けて視聴状況情報を生成する。尚、本実施例では、視聴終了時刻と視聴開始時刻とから視聴時間を算出しているが、タイマを設け、視聴開始時刻から視聴終了時刻までを計測させても良い。
【０２１４】
メモリ部１３５は、図２０に示すような視聴状況情報を格納する。この視聴状況情報は、チャンネル識別情報、視聴開始時刻、及び視聴時間から１レコードが構成される。チャンネル識別情報は、携帯端末で視聴したチャンネルを識別する識別情報である。視聴開始時刻は、そのチャンネルの表示が開始された時刻である。視聴時間は、そのチャンネルが表示されていた時間である。尚、本実施例では視聴時間とするが、これに限るものではない。すなわち、視聴を終了した時刻であってもよい。この場合、通信事業者２００に、視聴時間を算出する手段を設ける。
【０２１５】
料金データベース２４７は、加入者の通信料金を管理するものである。この料金データベース２４７は、図２１に示すように、端末識別情報と通信料金と謝礼金額と請求金額から１レコードが構成されており、互いに対応付けられている。
【０２１６】
端末識別情報は、携帯端末１００に付与されている端末識別情報であり、上述した端末識別情報と同一である。
【０２１７】
通信料金は、契約加入者が通信回線の利用に応じた通信金額である。
【０２１８】
謝礼金額は、ユーザが視聴分析に協力した時間に基づいて算出された謝礼金額である。
【０２１９】
課金制御部２４８は、契約加入者が通信回線を利用する度に通信料金を算出して累積格納する。又、課金制御部２４８は、視聴分析に参加した時間に応じて謝礼金額を算出して累積格納する。更に、契約加入者に対する請求金額を通信料金と謝礼金額とから生成する。
【０２２０】
次に、本実施例における動作の説明をする。
まず、視聴情報を生成する動作を説明する。
【０２２１】
図２２は、本実施例における視聴情報を生成する動作を説明するためのフローチャートである。
【０２２２】
テレビ放送受信のアプリケーションが起動されると、制御部１３０は時計１３４から現在の時刻情報を視聴開始時刻として取り込む（ステップＳ７０１）。
【０２２３】
制御部１３０は、視聴開始時刻を取り込むと、視聴しているチャンネル識別情報と視聴開始時刻とをメモリ部１３５に格納する（ステップＳ７０２）。
【０２２４】
次に、制御部１３０は、チャンネルが変更されたか、又はテレビ放送受信が終了させられたかを認識する（ステップＳ７０３）。
【０２２５】
チャンネルの変更が認識された場合、又はテレビ放送受信が終了させられた場合、時刻情報を視聴終了時刻として取り込み、視聴開始時刻と視聴終了時刻とから視聴時間を算出する（ステップＳ７０４）。そして、算出した視聴時間と視聴しているチャンネル識別情報と視聴開始時刻とから視聴状況情報を生成してメモリ部１３５に格納する（ステップＳ７０５）。
【０２２６】
生成された視聴状況情報は、端末識別情報と共に無線通信部１１０を介して通信事業者２００に送信される（ステップＳ７０７）。
【０２２７】
続いて、参加時間に応じて通話料金の割引を行う動作について説明する。図２３は、参加時間に応じて通話料金の割引を行う動作を説明するためのフローチャートである。
【０２２８】
サービス制御局２４０が視聴状況情報と端末識別情報とを受信すると、課金制御部２４８は、視聴状況情報の視聴時間を読み出す（ステップＳ７１０）。
【０２２９】
課金制御部２４８は、読み出した視聴時間に基づいて、その視聴時間に応じた謝礼金額を算出する（ステップＳ７１１）。
【０２３０】
課金制御部２４８は、受信した端末識別情報に基づいて、この端末識別情報に対応する端末識別情報を料金データベース２４７の中から検索する（ステップＳ７１２）。
【０２３１】
課金制御部２４８は、検索した端末識別情報に関連付けられている謝礼金額に、算出した謝礼金額を加算する（ステップＳ７１３）。
【０２３２】
課金制御部２４８は、加算した謝礼金額と通信料金とから請求料金を算出し、請求料金のデータを更新する（ステップＳ７１４）。
【０２３３】
上述した構成をとると、携帯端末加入者の通話料金を軽減することが出来る。
【０２３４】
尚、本実施例の視聴状況情報はチャンネル識別情報、視聴開始時刻、及び視聴時間から１レコードが構成される場合について説明したが、実施例１のように、チャンネル識別情報と視聴時刻とから１レコードが構成されていてもよい。その場合、課金制御部２４８は、視聴状況情報を受信すると、１つ前の視聴状況情報を読み出し、そのチャンネル識別情報に、視聴されたチャンネルの識別情報が格納されているか、テレビ放送受信が終了させられたことを示す識別情報が格納されているかを認識し、視聴されたチャンネルの識別情報が格納されていると認識した場合には、互いの視聴時刻から視聴時間を算出する構成をとる。
【０２３５】
又、本実施例では、実施例１に追加した構成として説明したが、これに限るものではない。すなわち実施例２〜６に追加した構成であってもよい。
【０２３６】
上述した実施例１〜７ではテレビ放送を用いて説明したが、これに限るものではない。すなわち、ラジオ放送やインターネット等であってもよい。
【０２３７】
又、上述した実施例１〜７では、携帯端末を用いて説明したが、携帯端末の変わりに、通信機能とテレビ放送を受信する機能とを搭載したＰＤＡ（パーソナルデジタルアシスタント）を使用しても良い。
【０２３８】
更に、上述した実施例１〜７の視聴状況情報は、携帯端末１００で視聴されたテレビ放送のチャンネル識別情報と視聴した時刻情報とから構成されているが、携帯端末１００で視聴された番組若しくは広告が識別できる情報であれば、これに限るものではない。
【図面の簡単な説明】
【０２３９】
【図１】図１は本発明の概念図である。
【図２】図２は、実施例１の構成図である。
【図３】図３は、視聴状況情報の構成例である。
【図４】図４は、加入者情報データベースの構成例である。
【図５】図５は、位置情報データベースの構成例である。
【図６】図６は、実施例１の携帯端末の動作を示すフローチャートである。
【図７】図７は、実施例１の通信事業者の動作を示すフローチャートである。
【図８】図８は、実施例２の構成図である。
【図９】図９は、実施例２の携帯端末の動作を示すフローチャートである。
【図１０】図１０は、実施例２の通信事業者の動作を示すフローチャートである。
【図１１】図１１は、実施例３の携帯端末の動作を示すフローチャートである。
【図１２】図１２は、実施例３の通信事業者の動作を示すフローチャートである。
【図１３】図１３は、実施例４の構成図である。
【図１４】図１４は、実施例４の携帯端末の動作を示すフローチャートである。
【図１５】図１５は、実施例５の構成図である。
【図１６】図１６は、実施例４の携帯端末の動作を示すフローチャートである。
【図１７】図１７は、位置登録の動作を示すフローチャートである。
【図１８】図１８は、実施例６の通信事業者の動作を示すフローチャートである。
【図１９】図１９は、実施例７の構成図である。
【図２０】図２０は、視聴状況情報の構成例である。
【図２１】図２１は、料金データベースの構成例である。
【図２２】図２２は、実施例７の携帯端末の動作を示すフローチャートである。
【図２３】図２３は、実施例７の通信事業者の動作を示すフローチャートである。
【符号の説明】
【０２４０】
１００            携帯端末
２００            通信事業者
３００            放送事業者
【図１】
2005176067.tif 000002
【図２】
2005176067.tif 000003
【図３】
2005176067.tif 000004
【図４】
2005176067.tif 000005
【図５】
2005176067.tif 000006
【図６】
2005176067.tif 000007
【図７】
2005176067.tif 000008
【図８】
2005176067.tif 000009
【図９】
2005176067.tif 000010
【図１０】
2005176067.tif 000011
【図１１】
2005176067.tif 000012
【図１２】
2005176067.tif 000013
【図１３】
2005176067.tif 000014
【図１４】
2005176067.tif 000015
【図１５】
2005176067.tif 000016
【図１６】
2005176067.tif 000017
【図１７】
2005176067.tif 000018
【図１８】
2005176067.tif 000019
【図１９】
2005176067.tif 000020
【図２０】
2005176067.tif 000021
【図２１】
2005176067.tif 000022
【図２２】
2005176067.tif 000023
【図２３】
2005176067.tif 000024